(57)【要約】【課題】、操作ボタンを押圧操作するときの感触が悪化したり、その感触にばらつきが生じたりするのを抑制し、確実な静電気対策を施す。【解決手段】基板３に取り付けられたスイッチ４を押す第１ボタン部材２１と、一部が貫通孔１１より突出された第２ボタン部材２２と、基板３の接地点と接続されたアース部材２３とを有し、第２ボタン部材２２の当接部２２２が台座部２１１と当接されるとともに、係合爪部２４２が凹欠２２３と係合され、第２ボタン部材２２がアース部材２３に保持されている。【選択図】図２
2008258003.tif 000002
【特許請求の範囲】
【請求項１】
前面から背面に貫通した貫通孔を具備したフロントパネルと、
表面にスイッチが実装され前記フロントパネルと平行に配置された配線基板と、
平板状の台座部と、前記台座部の背面から一体的に突出され、先端部が前記スイッチと対向したスイッチ押圧部と、前記台座部の下端部に該台座部の厚みよりも薄く且つ前記下端部の一部と一体的に連結されたヒンジ部と、前記ヒンジ部を介して前記台座部と一体連結され前記背面パネルの背面側に固定された固定部とを具備した第１ボタン部材と、
表面に金属被覆が形成された柱状部材であり、側壁部と、前記側壁部の一方の端部に連結され、前記第１ボタン部材の台座部の前面と当接された当接部と、前記側壁部の他方の端部に連結され、フロントパネルの貫通孔より一部が露出された露出部とを具備した柱形状の第２ボタン部材と、
金属板を切り曲げることで形成され、前記第１ボタン部材の前記台座部と近接して配置された支持部と、前記フロントパネルの背面側に固定された固定部と、前記支持部と前記固定部とを連結した連結部とを具備し、前記フロントパネルと前記第１ボタン部材の間に配置されたアース部材とを備えた電子機器であって、
前記支持部は前記第２ボタン部材の中心軸と直交する断面よりも大きな形状を有する貫通孔と、前記貫通孔の端縁部より正面側に一体的に立設された係合部とを有しており、
前記係合部は前記貫通孔の端縁部より立設された支持部と、前記支持部の先端部より前記貫通孔の中央方向に向けて前記支持部に対して直角を成すように立設された係合爪部とを有しており、
前記第２ボタン部材は前記側壁部に被支持部が形成されており、前記当接部が前記台座部の他方の面と当接されているとともに、前記被支持部と前記係合爪部とが係合されることで前記フロントパネルに支持されていることを特徴とする電子機器。
【請求項２】
前記第２ボタン部材は円柱形状の部材であることを特徴とする請求項１に記載の電子機器。
【請求項３】
前記第２ボタン部材は中心軸に垂直に切断した断面形状が多角形であり、前記係合部が前記多角形の断面の辺と対応する位置に形成されていることを特徴とする請求項１に記載の電子機器。
【請求項４】
前記被支持部が前記側壁部に形成された凹孔であることを特徴とする請求項１から請求項３のいずれかに記載の電子機器。
【請求項５】
前記被支持部は前記側壁部の周方向に連続するように形成された凹溝であることを特徴とする請求項１から請求項３のいずれかに記載の電子機器。
【請求項６】
前記係合部の前記支持部が前記貫通孔の中央に向かって傾斜して形成されており、
前記係合爪部は先端が同一のピッチ円上に配置されるように形成されており、前記第２ボタン部材の前記被支持部と前記第２ボタン部材の中心軸までの長さが前記ピッチ円の半径より長く形成されていることを特徴とする請求項１から請求項５のいずれかに記載の電子機器。
【請求項７】
前記第２ボタン部材は前記側壁部の前記当接部側の端部が、先細りになるように形成され、前記当接部が前記ピッチ円よりも小さくなるように形成されていることを特徴とする請求項６に記載の電子機器。
【請求項８】
前記係合部は前記支持部より直角に立設されており、
前記第２ボタン部材の前記連結部は前記支持部を折り曲げることで前記側壁部の前記係合爪部を食い込ませることで形成されるものであることを特徴とする請求項１から請求項３のいずれかに記載の電子機器。
【発明の詳細な説明】
【技術分野】
【０００１】
本発明は金属被覆された押しボタンを備えた電子機器に関するものである。
【背景技術】
【０００２】
ＤＶＤ記録／再生装置、ＣＤ記録／再生装置等の電子機器では、その正面に前記電子機器を操作するための操作ボタンが配置されている。このような操作ボタンのなかには、耐久性の向上や外観の美麗化を図るために、合成樹脂製の押しボタンの表面に、金属蒸着や金属めっきにより金属被覆が施されているものがある。
【０００３】
一方で、前記電子機器の内部には、前記電子機器の各部に電力を供給したり、前記電子機器の各部の動作を制御したりするために、マイクロコンピュータ等の電子部品が実装された配線基板が内蔵されている。また、押しボタンの背面側には前記押しボタンが移動することで押されるスイッチが実装された配線基板も配置されている。
【０００４】
一方、上述したような電子機器においては、前記操作ボタンを押下するときに、使用者の指先や衣服に蓄積した静電気が内部の配線基板に流入し、配線基板に実装されたマイクロコンピュータ等の電子部品が誤作動したり、故障・破損してしまう可能性がある。
【０００５】
この静電気による不具合の対策方法として、金属被覆が形成されている外ボタン部材と、樹脂で形成され、絶縁性を有する樹脂で形成されたスイッチを押下する内ボタン部材とが別体で形成されており、外ボタン部材および内ボタン部材を固定することで、金属被覆の部分と配線基板とを絶縁している（特開２００６−４７５９６号公報参照）。
【０００６】
また、前記押しボタンにアース部材を取り付け、前記押しボタンの金属被覆部分と前記アース部材とを接触させ、前記押しボタンに流入した電流がアースを伝って流れるようにするものが知られている（たとえば、特開２００４−８７２２０号公報、特開２００２−１５０８７９号公報等参照）。
【特許文献１】特開２００６−４７５９６号公報
【特許文献１】特開２００４−８７２２０号公報
【特許文献１】特開２００２−１５０８７９号公報
【発明の開示】
【発明が解決しようとする課題】
【０００７】
しかしながら、絶縁性を有する内ボタン部材で金属被覆が施された外ボタン部材と配線基板とを絶縁する場合であっても、内ボタン部材の側部を静電気が流れ配線基板に達することがあり、静電気対策としては不十分な場合がある。また、金属被覆が形成された外ボタン部材と樹脂製の内ボタン部材とを固定するためには、前記金属被覆を剥離させたり、特殊な固定方法を用いなくてはならない。
【０００８】
また、前記アース部材を用いるものの場合、外ボタン部材と内ボタン部材との固定とともに金属被覆がなされている外ボタン部材と前記アース部材との確実な接触固定を行うのが困難な場合が多い。
【０００９】
そこで本発明は、特殊な部材や固定方法を利用することなく、押しボタンを介して内部の配線基板に静電気が放電され、前記静電気による前記配線基板又は該配線基板に実装された電子機器に発生する不具合を抑制することができる電子機器を提供することを目的とする。
【００１０】
また本発明は、操作ボタンを押圧操作するときの感触が悪化したり、その感触にばらつきが生じたりするのを抑制し、確実な静電気対策を施すことができる電子機器を提供することを目的とする。
【課題を解決するための手段】
【００１１】
上記目的を達成するために本発明は、前面から背面に貫通した貫通孔を具備したフロントパネルと、表面にスイッチが実装され前記フロントパネルと平行に配置された配線基板と、平板状の台座部と、前記台座部の背面から一体的に突出され、先端部が前記スイッチと対向したスイッチ押圧部と、前記台座部の下端部に該台座部の厚みよりも薄く且つ前記下端部の一部と一体的に連結されたヒンジ部と、前記ヒンジ部を介して前記台座部と一体連結され前記背面パネルの背面側に固定された固定部とを具備した第１ボタン部材と、表面に金属被覆が形成された柱状部材であり、側壁部と、前記側壁部の一方の端部に連結され、前記第１ボタン部材の台座部の前面と当接された当接部と、前記側壁部の他方の端部に連結され、フロントパネルの貫通孔より一部が露出された露出部とを具備した柱形状の第２ボタン部材と、金属板を切り曲げることで形成され、前記第１ボタン部材の前記台座部と近接して配置された支持部と、前記フロントパネルの背面側に固定された固定部と、前記支持部と前記固定部とを連結した連結部とを具備し、前記フロントパネルと前記第１ボタン部材の間に配置されたアース部材とを備えた電子機器であって、前記支持部は前記第２ボタン部材の中心軸と直交する断面よりも大きな形状を有する貫通孔と、前記貫通孔の端縁部より正面側に一体的に立設された係合部とを有しており、前記係合部は前記貫通孔の端縁部より立設された支持部と、前記支持部の先端部より前記貫通孔の中央方向に向けて前記支持部に対して直角を成すように立設された係合爪部とを有しており、前記第２ボタン部材は前記側壁部に被支持部が形成されており、前記当接部が前記台座部の他方の面と当接されているとともに、前記被支持部と前記係合爪部とが係合されることで前記フロントパネルに支持されていることを特徴とする。
【００１２】
この構成によると、前記第２ボタン部材の取付時に金属被覆を剥離させなくても、確実に設置することができるとともに、前記第１ボタン部材と安定して接触した状態で取り付けることができるので、取付の手間を省くことができるとともに容易に取付できる。
【００１３】
これにより、静電気による不具合の発生を抑制することができる面押しボタンを備えた電子機器の製造コストを低減することができる。
【００１４】
上記構成において、前記第２ボタン部材は円柱形状の部材であってもよく、中心軸に垂直に切断した断面形状が多角形であってもよい。断面多角形状の場合、前記係合部が前記多角形の断面の辺と対応する位置に形成されているものが好ましい。
【００１５】
上記構成において、前記被支持部が前記側壁部に形成された凹孔であってもよく、前記側壁部の周方向に連続するように形成された凹溝であってもよい。
【００１６】
さらに上記構成において、前記係合部の前記支持部が前記貫通孔の中央に向かって傾斜して形成されており、前記係合爪部は先端が同一のピッチ円上に配置されるように形成されており、前記第２ボタン部材の前記被支持部と前記第２ボタン部材の中心軸までの長さが前記ピッチ円の半径より長く形成されているものであってもよい。
【００１７】
また、上記構成において、前記第２ボタン部材が前記側壁部の前記当接部側の端部が、先細りになるように形成され、前記当接部が前記ピッチ円よりも小さくなるように形成されていてもよい。
【００１８】
上記構成において前記係合部は前記支持部より直角に立設されており、前記第２ボタン部材の前記連結部は前記支持部を折り曲げることで前記側壁部の前記係合爪部を食い込ませることで形成されるものであってもよい。
【発明の効果】
【００１９】
本発明によると、操作ボタンを押圧操作するときの感触が悪化したり、その感触にばらつきが生じたりするのを抑制し、確実な静電気対策を施すことができる電子機器を提供することができる。
【発明を実施するための最良の形態】
【００２０】
以下に本発明の実施形態を図面を参照して説明する。図１は本発明にかかる電子機器の一例の正面図であり、図２は本発明にかかる電子機器の面押しボタンが取り付けられた要部の拡大断面図であり、図３は図２に示す面押しボタンの拡大正面図であり、図４は図２に示す電子機器の面押しボタンを分解した状態の要部の拡大断面図である。なお、図３では便宜上、フロントパネル及び配線基板を省略している。
【００２１】
図１に示す電子機器はそれには限定されないが、ここではＤＶＤプレーヤである。図１に示すＤＶＤプレーヤＡは、フロントパネル１と、フロントパネル１に形成されたＤＶＤメディアの投入口Ｉｈと、電源ボタンＰｗと、停止ボタンＳｐと、再生（一時停止）ボタンＰｓと、早送りボタンＦｆと、巻き戻しボタンＲｗと、ＤＶＤメディアを排出するためのメディア排出ボタンＥｊとを備えている。
【００２２】
電源ボタンＰｗ、停止ボタンＳｐ、再生（一時停止）ボタンＰｓ、早送りボタンＦｆ、巻き戻しボタンＲｗ及びメディア排出ボタンＥｊは同様の構造を有する面押しボタンである。
【００２３】
図２に示すようにＤＶＤプレーヤＡにはフロントパネル１の背面に取り付けられた面押しボタン２と、フロントパネル１と平行に配置される基板３と、基板に取り付けられたスイッチ４とが配置されている。
【００２４】
フロントパネル１はそれには限定されないが、ここでは絶縁性を有する樹脂の一体成形にて製造される。図２に示すように、フロントパネル１には、前面から背面に貫通した貫通孔１１と、フロントパネル１の背面より突出した第１取付ボス１２と、フロントパネル１の背面に形成された第１取付ボス１２と離れた場所に形成された第２取付ボス１３とが備えられている。第１取付ボス１２はフロントパネル１の背面側より突出された台座部１４の背面側より突出されたものである。
【００２５】
図２に示すように面押しボタン２はそれには限定されないが、ここでは電源ボタンＰｗである。面押しボタン２は基板３に取り付けられたスイッチ４を押す第１ボタン部材２１と、一部が貫通孔１１より突出された第２ボタン部材２２と、基板３の接地点と接続されたアース部材２３とを有している。
【００２６】
図２に示すように基板３はフロントパネル１と平行に配置されるものであり、配線パターン（図示省略）が形成された配線パターン面３１と電子部品（例えば、スイッチ４等）が実装される実装面３２とを有している。基板３にはスイッチ４が取り付けられている。スイッチ４以外の電子部品も取り付けられているが、ここでは図示を省略している。スイッチ４は基板３に形成されたスルーホール（基板３を配線パターン面３１から電子部品実装面３２に貫通する孔。図示省略）に端子を電子部品実装面３２側から挿入し配線パターン面３１に形成された配線パターンにはんだ付けすることで、基板３に固定されるとともに端子が配線パターンと電気的に接続されている。
【００２７】
第１ボタン部材２１は絶縁性を有する樹脂の一体成形で製造されたものである。図２、図３に示すように第１ボタン部材２１は矩形の平板状の台座部２１１と、台座部２１１より背面側に突出されたスイッチ押圧部２１２と、台座部２１１の端部と一体的に連結されたヒンジ部２１３と、ヒンジ部２１３と連結された取付基部２１４と、取付基部２１４に形成されフロントパネル１の背面がわに形成された第１取付ボス１２に外嵌されたボス孔２１５とを備えている。
【００２８】
スイッチ押圧部２１２はそれには限定されないがここでは、断面十字形状を有するものである。ヒンジ部２１３は台座部２１１に一体連結されたものであり、台座部２１１の厚みよりも薄く形成されている。このように、ヒンジ部２１３の断面積が第１ボタン部材２１の他の部分（例えば、台座部２１１等）の断面積よりも小さく形成されていることで、台座部２１１に正面側より力が付勢されたときに、ヒンジ部２１３が変形し、たわむ。
【００２９】
第１ボタン部材２１は取付基部２１４に形成されたボス孔２１５をフロントパネル１の第１取付ボス１２が貫通するように配置されるとともに、ボス孔２１５を貫通した第１取付ボス１２の先端部を加熱溶着することで取付固定されるものである。
【００３０】
第２ボタン部材２２は円柱状の外面に金属めっきが施された樹脂製の部材である。外側ボタン２２は一方の平面に外部に露出された露出部２２１が形成されており、他方の平面が第１ボタン部材２１と当接された当接部２２２が形成されている。また、露出部２２１と当接部２２２間の曲面部２２０には、第２ボタン部材２２の中心軸に対して直交する面内に４個の凹欠２２３が互いに隣り合う凹欠２２３がなす中心角度が等しくなる（ここでは９０°）ように形成されている。第２ボタン部材２２の露出部２２１には、図１等に示すように、そのボタンを押すことで実行される操作を示す図柄がつけられている。
【００３１】
アース部材２３は導電性を有する金属板に孔あけ、折り曲げ加工を施すことで形成されている。アース部材２３はフロントパネル１と第１ボタン部材２１との間に配置されるものである。アース部材２３は第１ボタン部材２１と隣接して配置されたボタン当接部２３１と、フロントパネル１に固定された固定部２３２と、ボタン当接部２３１の中央に形成された支持孔２３３と、ＤＶＤプレーヤＡの接地されているフレームＦｒと接触する接地部２３４と、ボタン当接部２３１の一部に形成され、台座部１４が接触しないように貫通する貫通孔２３５と、係合部２４とを有している。
【００３２】
ボタン当接部２３１は第１ボタン部材２１の台座部２１１と平行に配置される板状の部材である。ボタン当接部２３１と固定部２３２とは連結部２３６を介して連結されている。それには限らないがここでは、ボタン当接部２３１、固定部２３２、連結部２３６は接続部で屈折して形成されており、ボタン当接部２３１は台座部２１１と、固定部２３２はフロントパネル１の背面側とそれぞれ近接して或いは当接して配置されている。固定部２３２には、第２取付ボス１３が貫通するボス孔２３２１が形成されている。
【００３３】
係合部２４は支持孔２３３の端縁部より折り曲げることで立設されて形成されている。支持孔２３３は第２ボタン部材２２が貫通するように配置されるものであり、第２ボタン部材２２の断面を完全に収めることができる形状を有している。それには限らないがここでは、円形状である。
【００３４】
係合部２４はアース部材２３の前面側に立設されている。係合部２４は支持孔２３３の中心周りに等間隔（互いに隣り合う係合部２４同士が等中心角度ここでは、９０度）となるように４個形成されているものである。係合部２４はアース部材２３のボタン当接部２３１より斜めに立設された支持部２４１と、支持部２４１の先端部を折り曲げることで形成された係合爪部２４２とを有している。係合爪部２４２は支持孔２３３の中央方向に向かうとともに、支持部２４１と直角になるように折り曲げられている。
【００３５】
４個の係合部２４は同一の形状を有するものであり、各係合爪部２４２の先端を円形につなぐことができる形状を有するものである。各係合爪部２４２の先端をつなぐ円形状の直径が、第２ボタン部材２２の断面である円形状の直径よりも小さくなるように、４個の係合部２４が形成されている。
【００３６】
第２ボタン部材２２をアース部材２３に取り付ける取り付け方法は以下に示す手順で行われる。まず、第２ボタン部材２２の当接部２２１をアース部材２３の前面側より係合部２４の係合爪部２４２と当接させる。この状態で第２ボタン部材２２を背面側に押し込むと、図２、３、４に示すように係合爪部２４２は中心に向かって背面側に傾斜させて形成されているので、当接部２２２にて係合爪部２４２が開く方向に押され、支持部２４１が弾性変形する。さらに第２ボタン部材２２を押し込むと、支持部２４１が開き、係合爪部２４２の先端が第２ボタン部材２２の曲面部２２０に達し、係合爪部２４２が曲面部２２０を摺動する。第２ボタン部材２２の当接部２２２が台座部２１１と当接するとともに、係合爪部２４２が凹欠２２３と係合され、第２ボタン部材２２はアース部材２３に保持され、固定される。
【００３７】
図２、３、４に示すように係合爪部２４２は支持部２４１の先端より内側に向かって背面側に傾斜するように形成されているので、第２ボタン部材２２がアース部材２３から抜けるのを抑制している。また、支持部２４１が弾性力を有するので、支持部２４１を開いて係合爪部２４２と凹欠２２３との係合をアース部材２３を破損することなく、なおかつ、容易にはずすことができる。以上のことより、第２ボタン部材２２とアース部材２３とを簡単に着脱することができ、また、第２ボタン部材２２及び（又は）アース部材２３を簡単に交換することが可能である。
【００３８】
第２ボタン部材２２が保持されたアース部材２３は固定部２３２のボス孔２３２１を第２取付ボス１３が貫通するように、フロントパネル１の背面に取り付けられている。このとき、第２ボタン部材２２はフロントパネル１の貫通孔１１を貫通するとともに露出部２２１が正面側に貫通している。また、アース部材２３のボス孔２３２１は第２取付ボス１３に貫通されている。この状態で、第２取付ボス１３のボス孔２３２１より突出した部分を加熱して溶着させることで、アース部材２３をフロントパネル１の背面側に固定することができる。
【００３９】
第２ボタン部材２２は、凹欠２２３が係合部２４の係合爪部２４２に係合されている。これにより、第２ボタン部材２２が係合部２４に固定されるとともに、第２ボタン部材２２の金属被覆とアース部材２３とが確実に接触されるので、第２ボタン部材２２は接地される。
【００４０】
アース部材２３が固定された状態で、第１取付ボス１３がボス孔２１５を貫通するように第１ボタン部材２１を配置する。この状態で、第１取付ボス１３のボス孔２１５より突出した部分を加熱して取付基部２１４に溶着させることで、取付基部２１４をフロントパネル１の背面側に取付固定することができる。
【００４１】
このように、第１ボタン部材２１、第２ボタン部材２２及びアース部材２３を取り付けることで、面押しボタン２はフロントパネル１の背面側に取付固定される。図２に示すように、外側ボタン２２が押されていない状態で、外側ボタン２２の当接部２２２が第１ボタン部材２１の台座部２１１と当接している。
【００４２】
面押しボタン２の第２ボタン部材２２の露出部２２１が押されると、アース部材２３に力が付勢して、アース部材２３がたわむ。また、同時に、外側ボタン２２の当接部２２２が当接している台座部２１１にも力が付勢されることで、他の部分よりも断面積が小さいヒンジ部２１３が変形し、第１ボタン部材２１がたわむ。第１ボタン部材２１がたわむことで、台座部の背面に形成されているスイッチ押圧部２１２が配線基板３に実装されたスイッチ４は押される。
【００４３】
このように、面押しボタン２は、第１ボタン部材２１、第２ボタン部材２２及びアース部材２３がどのような位置にある場合であっても、第２ボタン部材２２がアース部材２３と常時接触され、接地されている。
【００４４】
電子機器の出荷前検査として、静電試験と呼ばれる試験が行われる。この試験は第２ボタン部材２２と貫通孔１１との間隙に前面側から通常使用時に発生するであろう静電気を放電させ、内部の基板３、スイッチ４等の内部に配置された電子部品に、動作不良、故障や破損等の不具合が発生しないか調査するものである。
【００４５】
本発明にかかるＤＶＤプレーヤＡの場合、第２ボタン部材２２の外表面には導電性の金属被覆が施されており、放電された電気は金属被覆に流れる。第２ボタン部材２２の金属被覆に流れた電流は、アース部材２３を介してフレームＦｒに流れるので、配線基板３、スイッチ４及び配線基板３に実装された電子部品等に流れることはなく、静電気による不具合の発生を低減できることを確認することができる。
【００４６】
たとえば、ボタンを押すユーザに帯電している静電気が、第２ボタン部材２２に放電された場合、電流は第２ボタン部材２２の金属被覆を通り、アース部材２３を介してフレームＦｒに流入する。これにより、静電気による電流が配線基板３に流入すること生じる不具合を抑制することができる。
【００４７】
上記実施例において、アース部材２３の係合部２４の支持部２４１は、支持孔２３３の端縁部より、支持孔２３３の中心に向かって傾けて立設されているものとされているが、それに限定されるものではない。支持部２４１がボタン当接部２３１より直角に立設されるとともに、係合爪部２４２の先端をつないだ円形状が第２ボタン部材２２の円形状よりも大きくなるように形成しておき、第２ボタン部材２２を取り付けたときに、支持部２４１を内側に押圧して折り曲げることで、係合爪部２４２が凹欠２２３と係合するようにしてもよい。
【００４８】
このように支持部を折り曲げることで固定するものの場合、第２ボタン部材２２の外形に多少の誤差がある場合であっても、折り曲げる角度を調整することができるので、組み立てに支障が出にくい。
【００４９】
図５は本発明にかかる電子機器の他の例の面押しボタンが取り付けられている部分を拡大した断面図である。図５に示す面押しボタン２ｂは第２ボタン部材２５が異なる以外は図２に示す面押しボタン２と同じ構成を有しており、実質上同じ部分には同一の符号が付してある。
【００５０】
図５に示す第２ボタン部材２５は、曲面部２５０に一周にわたって形成された凹溝２５３が形成されている。凹溝２５３が形成されていることで、第２ボタン部材２５が軸集方向に回転しても、外側ボタン２５に負担がかからないようにすることができる。
【００５１】
図６は本発明にかかる電子機器の面押しボタンが取り付けられている部分を拡大した断面図である。図６に示す面押しボタン２ｃは第２ボタン部材２５及び係合部２４ｃが異なる以外は図２に示す面押しボタン２と同じ構成を有しており、実質上同じ部分には同一の符号が付してある。
【００５２】
図６に示す第２ボタン部材２６は凹欠、凹溝を備えていない。この第２ボタン部材２６を用いる場合、係合部２４ｃの係合爪部２４２ｃが第２ボタン部材２６の曲面部２６０に食い込ませて固定する。このように固定するものの場合、係合のための凹欠、凹溝がないので第２ボタン部材２６の形状に誤差があるものであっても、容易に固定することができる。
【００５３】
図７は本発明にかかる電子機器の面押しボタンが取り付けられている部分を拡大した断面図である。図７に示す面押しボタン２ｄは第２ボタン部材２５が異なる以外は図２に示す面押しボタン２と同じ構成を有しており、実質上同じ部分には同一の符号が付してある。
【００５４】
図７に示す第２ボタン部材２７は曲面部２７０の当接部２７１と近接する部分にテーパ部２７４が形成されている。テーパ部２７４が形成されていることで、係合部２４に押し込むときに、係合爪部２４２がテーパ部２７４に沿って、支持部２４１が拡がるので、より容易に第２ボタン部材２７をアース部材２３に取付固定することができる。
【００５５】
上記実施例において、電源ボタンＰｗの例を挙げて説明したが、それに限定されるものではなく、それ以外のボタンについても本発明にかかる面押しボタンを採用してもよい。
【００５６】
上記実施例において、面押しボタンを利用した電子機器としてＤＶＤメディアの再生を行うＤＶＤプレーヤＡを採用しているが、それに限定されるものではなく、面押しボタンを用いて操作を行う電子機器（例えば、ＶＴＲ、ＣＤ、ＴＶ受像機等）を広く採用することができる。また、面押しボタン２は正面視（正面から見て）円形状のものを例に説明しているが、それに限定されるものではなく、楕円形状、矩形状等、ユーザが認識しやすく、押しやすい形状のものを広く採用することができる。
【００５７】
以上、発明の実施形態を具体的に説明したが、本発明は上記実施形態に限定するものではなく、その要旨を逸脱しない範囲で種々変更可能である。
【産業上の利用可能性】
【００５８】
本発明は、液晶表示装置に採用することが可能である。
【図面の簡単な説明】
【００５９】
【図１】本発明にかかる電子機器の一例の正面図である。
【図２】本発明にかかる電子機器の面押しボタンが取り付けられた要部の拡大断面図である。
【図３】図２に示す面押しボタンの拡大正面図である。
【図４】図２に示す電子機器の面押しボタンを分解した状態の要部の拡大断面図である。
【図５】本発明にかかる電子機器の他の例の面押しボタンが取り付けられている部分を拡大した断面図である。
【図６】本発明にかかる電子機器の他の例の面押しボタンが取り付けられている部分を拡大した断面図である。
【図７】本発明にかかる電子機器の他の例の面押しボタンが取り付けられている部分を拡大した断面図である。
【符号の説明】
【００６０】
１  フロントパネル
１１  貫通孔
１２  第１ボス
１３  第２ボス
１４  台座部
２  面押しボタン
２１  第１ボタン部材
２１１  台座部
２１２  スイッチ押圧部
２１３  ヒンジ部
２１４  取付基部
２１５  ボス孔
２２  第２ボタン部材
２２１  露出部
２２２  当接部
２２３  凹欠
２３  アース部材
２３１  ボタン当接部
２３２  固定部
２３３  支持孔
２３４  接地部
２３５  貫通孔
３  配線基板
４  スイッチ
【図１】
2008258003.tif 000003
【図２】
2008258003.tif 000004
【図３】
2008258003.tif 000005
【図４】
2008258003.tif 000006
【図５】
2008258003.tif 000007
【図６】
2008258003.tif 000008
【図７】
2008258003.tif 000009